(57)【要約】【課題】着脱操作（着脱作業）の容易化を図るとともに、着脱時の安定化により無用な応力が付加される不具合の解消及び装着が正しく行われたか否かの確認の容易化及び確実化を図り、加えて、プロジェクタ固有の補正に対応した新たな対応手段を付加する。【解決手段】プロジェクタ本体２と、このプロジェクタ本体２に対して別体の交換レンズ３と、この交換レンズ３をプロジェクタ本体２に対して着脱させるレンズ着脱機構４とを備えるとともに、プロジェクタ本体２に装着した交換レンズ３における当該プロジェクタ本体２から突出する外周面３ｆに、着脱時に把持するグリップボタン５ｐ，５ｑを有する把持機構５を設ける。【選択図】図１
2004302350.tif 000002
【特許請求の範囲】
【請求項１】
スクリーンに画像を投射するプロジェクタにおいて、プロジェクタ本体と、このプロジェクタ本体に対して別体の交換レンズと、この交換レンズを前記プロジェクタ本体に対して着脱させるレンズ着脱機構とを備えるとともに、前記プロジェクタ本体に装着した前記交換レンズにおける当該プロジェクタ本体から突出する外周面に、着脱時に把持するグリップボタンを有する把持機構を設けたことを特徴とするプロジェクタ。
【請求項２】
前記把持機構は、前記グリップボタンを弾性支持し、このグリップボタンの把持により、前記交換レンズの回動部位の回動を規制する規制機構を備えることを特徴とする請求項１記載のプロジェクタ。
【請求項３】
前記把持機構は、前記グリップボタンの把持を検出し、前記レンズ着脱機構における前記交換レンズに対するロック機構のロックを解除可能なスイッチ部を備えることを特徴とする請求項１記載のプロジェクタ。
【請求項４】
前記レンズ着脱機構は、前記交換レンズを前記プロジェクタ本体に装着した際に、前記交換レンズと前記プロジェクタ本体を電気的に接続するコネクタを備えることを特徴とする請求項１記載のプロジェクタ。
【請求項５】
前記交換レンズは、前記プロジェクタ本体への装着時に、当該交換レンズの固有の情報を、前記コネクタを介して前記プロジェクタ本体に付与する情報回路を備えることを特徴とする請求項４記載のプロジェクタ。
【請求項６】
前記プロジェクタ本体は、前記交換レンズを前記プロジェクタ本体に装着した際に、前記コネクタの接続状態を監視することにより、前記交換レンズと前記プロジェクタ本体の装着状態を検出する装着状態検出回路を備えることを特徴とする請求項４記載のプロジェクタ。
【請求項７】
前記交換レンズは、前記プロジェクタ本体への装着時に、当該交換レンズの固有の情報を、前記プロジェクタ本体へ機械的に付与する情報付与機構を備えることを特徴とする請求項１記載のプロジェクタ。
【発明の詳細な説明】
【０００１】
【発明の属する技術分野】
本発明は、スクリーンに画像を投射する液晶プロジェクタ等のプロジェクタに関する。
【０００２】
【従来の技術】
一般に、複数の異なる交換レンズを選択的に着脱できるようにしたレンズ交換式のカメラは、例えば、特開平５−３３３４１２号公報等で開示されるように広く知られている。
【０００３】
この種のカメラは、カメラボディに対して別体の交換レンズを備えており、カメラボディに対して選択した交換レンズを着脱することができる。カメラボディに対して交換レンズを着脱する際には、一方の手でカメラボディを持ち、他方の手で交換レンズを持つことにより容易に着脱できるとともに、通常、カメラボディには、装着した交換レンズをロックするロック機構を備えるため、交換レンズを離脱する際には、カメラボディの前面に設けたロック解除ボタンを押してロック機構によるロックを解除する。
【特許文献１】
特開平５−３３３４１２号公報
【０００４】
【発明が解決しようとする課題】
しかし、プロジェクタをレンズ交換式に構成する場合、上述したレンズ交換式のカメラとは異なり、次のようなプロジェクタ固有の問題が存在する。
【０００５】
第一に、プロジェクタは、天井や棚の上等の室内の上方にセッティングする場合も少なくないが、プロジェクタ本体にロック解除ボタンを配設した場合、着脱操作（着脱作業）がしにくく面倒になる。
【０００６】
第二に、交換レンズの着脱時には、プロジェクタ本体を自由に持てないため、交換レンズのみを把持する必要があるが、通常、交換レンズには、回動部位となるズームリングやフォーカスリングを備えているため、安定した着脱を行うことができない。結局、交換レンズやプロジェクタ本体に無用な応力が付加されてしまうとともに、正しく装着されたか否かを容易に確認できない。
【０００７】
第三に、プロジェクタの場合、台形補正等のプロジェクタ固有の補正を行う必要があるが、この補正量や補正範囲が交換レンズに対応して異なる場合、新たな対応手段が必要になる。
【０００８】
本発明は、このような従来の技術に存在する課題を解決したものであり、着脱操作（着脱作業）の容易化を図るとともに、着脱時の安定化により無用な応力が付加される不具合の解消及び装着が正しく行われたか否かの確認の容易化及び確実化を図り、加えて、プロジェクタ固有の補正に対応した新たな対応手段を付加したプロジェクタの提供を目的とする。
【０００９】
【課題を解決するための手段及び実施の形態】
本発明は、スクリーンＳに画像を投射するプロジェクタ１を構成するに際して、プロジェクタ本体２と、このプロジェクタ本体２に対して別体の交換レンズ３と、この交換レンズ３をプロジェクタ本体２に対して着脱させるレンズ着脱機構４とを備えるとともに、プロジェクタ本体２に装着した交換レンズ３における当該プロジェクタ本体２から突出する外周面３ｆに、着脱時に把持するグリップボタン５ｐ，５ｑを有する把持機構５を設けたことを特徴とする。これにより、プロジェクタ本体２側の操作や把持を要することなく、交換レンズ３における把持機構５のグリップボタン５ｐ，５ｑを把持するのみで、交換レンズ３の着脱を行うことが可能となる。
【００１０】
この場合、好適な実施の形態により、把持機構５には、グリップボタン５ｐ，５ｑを弾性支持し、このグリップボタン５ｐ，５ｑの把持により、交換レンズ３の回動部位Ｘの回動を規制する規制機構１０を設けることができるとともに、グリップボタン５ｐ（５ｑ）の把持を検出し、レンズ着脱機構４における交換レンズ３に対するロック機構１２のロックを解除可能なスイッチ部１１を設けることができる。また、レンズ着脱機構４には、交換レンズ３をプロジェクタ本体２に装着した際に、交換レンズ３とプロジェクタ本体２を電気的に接続するコネクタ１３を設けるとともに、交換レンズ３には、プロジェクタ本体２への装着時に、当該交換レンズ３の固有の情報を、コネクタ１３を介してプロジェクタ本体２に付与する情報回路１４を設けることができる。さらに、プロジェクタ本体２には、交換レンズ３をプロジェクタ本体２に装着した際に、コネクタ１３の接続状態を監視することにより、交換レンズ３とプロジェクタ本体２の装着状態を検出する装着状態検出回路１５を設けることができる。なお、交換レンズ３の固有の情報をプロジェクタ本体２に付与する他の形態としては、交換レンズ３に、プロジェクタ本体２への装着時に、当該交換レンズ３の固有の情報を、プロジェクタ本体２へ機械的に付与する情報付与機構１６を設けて構成することもできる。
【００１１】
【実施例】
次に、本発明に係る好適な実施例を挙げ、図面に基づき詳細に説明する。
【００１２】
まず、本実施例に係るプロジェクタ１の構成について、図１〜図６を参照して説明する。
【００１３】
プロジェクタ１は、基本的な構成として、プロジェクタ本体２と、このプロジェクタ本体２に対して別体の交換レンズ３と、この交換レンズ３をプロジェクタ本体２に対して着脱させるレンズ着脱機構４（図１及び図２）を備える。図６は、プロジェクタ本体２に交換レンズ３を装着した状態のプロジェクタ１を示し、これにより、スクリーンＳに画像を投射することができる。
【００１４】
図１及び図２は、本実施例に係るプロジェクタ１の要部構成を示す。２０は、プロジェクタ本体２のキャビネットを示し、このキャビネット２０の内部には、レンズ着脱機構４を構成するプロジェクタ本体２側の着脱機構部２１を有するとともに、交換レンズ３の外周面には、レンズ着脱機構４を構成する交換レンズ３側の着脱機構部２２を有する。
【００１５】
着脱機構部２１は、キャビネット２０の内部に固定した固定フレーム２３と、この固定フレーム２３に対して上下に昇降する可動フレーム２４を備える。この場合、可動フレーム２４は、左右一対のリニアガイド２５，２６により昇降自在に支持されるとともに、図３に示す昇降制御系２７により昇降制御される。この昇降制御系２７は、交換レンズ３を昇降させることにより台形補正を行う制御系であり、図２及び図３に示すように、駆動系２８及び制御系２９を備える。駆動系２８は、図２に示すように、ナット部３０ｎを可動フレーム２４に固定し、かつスクリュ部３０ｓを固定フレーム２３に固定したボールねじ機構３０と、サーボモータ３１と、このサーボモータ３１の回転をスクリュ部３０ｓに伝達する回転伝達機構３２を備える。また、制御系２９は、マイクロコンピュータ等を内蔵する制御部３３を備え、この制御部３３の出力部から出力する駆動制御信号がドライバ３３ｄを介してサーボモータ３１に付与されるとともに、可動フレーム２４の昇降変位量を検出するリニアスケール等の位置センサ３４から得る位置検出信号が、制御部３３の入力部に付与される。さらに、制御部３３には、プロジェクタ回路本体３５が接続され、プロジェクタ回路本体３５に対して必要な信号（データ）の授受が行われる。そして、可動フレーム２４には、交換レンズ３が挿通する円形の挿通孔３６を設けるとともに、この挿通孔３６の縁部にリング形の装着部３７を設ける。
【００１６】
一方、着脱機構部２２は、交換レンズ３の外周面に設けたリング形の被装着部３８を備え、この被装着部３８は、着脱機構部２１に設けた装着部３７に対して着脱する。この場合、被装着部３８は外方に突出した複数の係止片３８ｓ…を有するとともに、前述した装着部３７は内方に突出した複数の係止片３７ｓ…を有しているため、装着時には、交換レンズ３の後部を挿通孔３６に挿入するとともに、最も挿入した位置で所定角度回転させれば、係止片３８ｓ…と係止片３７ｓ…同士が係止する公知の着脱機構を構成する。
【００１７】
さらに、レンズ着脱機構４には、交換レンズ３をプロジェクタ本体２に装着した際に、交換レンズ３とプロジェクタ本体２を電気的に接続するコネクタ１３を備える。コネクタ１３は、可動フレーム２４から片持状に突設したプロジェクタ本体２側のコネクタ部３９と、交換レンズ３の外周面に設けた交換レンズ３側のコネクタ部４０からなる。これにより、交換レンズ３をプロジェクタ本体２に装着する際に、コネクタ部４０が周方向に旋回変位してコネクタ部３９に接続される。なお、コネクタ１３の端子数は六端子を例示するが、この端子数は任意である。
【００１８】
他方、固定フレーム２３の後面には、交換レンズ３に対するロック機構１２を設ける。ロック機構１２は、例えば、座屈的にロック位置とロック解除位置へ変位するロック爪４１と、このロック爪４１をロック解除位置へ変位させる電磁ソレノイド４２を備える。これにより、交換レンズ３をプロジェクタ本体２に装着する際に、ロック爪４１は、交換レンズ３の変位に追従して、交換レンズ３の外周面に設けた係止孔（不図示）に係止するロック位置に変位するとともに、電磁ソレノイド４２を通電すれば、ロック爪４１はロック解除位置に変位する。
【００１９】
また、プロジェクタ本体２に装着した交換レンズ３における当該プロジェクタ本体２から突出する外周面３ｆには、着脱時に把持するグリップボタン５ｐ，５ｑを有する把持機構５を設ける。プロジェクタの場合、図１に仮想線で示す交換レンズ３ｓのように、プロジェクタ本体２に装着した際には、交換レンズ３ｓの前側一部のみがプロジェクタ本体２から突出し、後側残部はプロジェクタ本体２の内部に収容される場合が多い。このため、交換レンズ３の前端付近における外周面３ｆに、１８０°対向する一対のグリップボタン５ｐ，５ｑを配設した。
【００２０】
図２の拡大断面図に示した一方のグリップボタン５ｐは、全体をゴム等の弾性素材により一体形成し、特に、把持した際における滑り止めを考慮する。グリップボタン５ｐは、外周面３ｆを形成する外筒部５０に設けたガイド孔５１ｐにより径方向にガイドされるとともに、外筒部５０の内面に取付けた板バネ機能を有する支持部材５２ｐにより径方向へ弾性支持される。また、グリップボタン５ｐの内面には、突出部５ｐｓを一体形成し、この突出部５ｐｓを、交換レンズ３を構成する内筒部５３の外周面に対向させる。なお、グリップボタン５ｐ側について説明したが、グリップボタン５ｑ側も対称に構成する点を除いて同一構成となる。
【００２１】
これにより、自然状態では、図２の拡大断面図に示すように、グリップボタン５ｐ…は、外周面３ｆから若干突出し、かつ支持部材５２ｐ…により突出部５ｐｓ…は、内筒部５３の外周面から若干離間した位置にある。一方、操作者が、グリップボタン５ｐ…に指が当たるようにして交換レンズ３を把持すれば、グリップボタン５ｐ…は、交換レンズ３の中心方向に押されるため、支持部材５２ｐ…の弾性に抗して中心側へ変位し、突出部５ｐｓ…は、内筒部５３の外周面に圧接する。これにより、外筒部５０が内筒部５３に対して回動するズームリングやフォーカスリングとなる回動部位Ｘを構成している場合には、回動部位Ｘの回動が規制される規制機構１０が構成される。
【００２２】
また、図２の拡大断面図に示すように、外筒部５０の内面に一端を固定し、他端を自由端としたスイッチ片５４を配設する。この場合、スイッチ片５４の自由端は、自然状態の支持部材５２ｐに対して所定間隔だけ離間して位置させる。これにより、支持部材５２ｐを導電性素材により形成し、他方のスイッチ片として兼用すれば、支持部材５２ｐとスイッチ片５４によるスイッチ部１１が構成される。スイッチ部１１は、自然状態では図２の拡大断面図のように、支持部材５２ｐとスイッチ片５４が非接触になるため、スイッチ部１１は開（ＯＦＦ）となる。他方、操作者がグリップボタン５ｐを把持すれば、グリップボタン５ｐは、交換レンズ３の中心方向に押されるため、支持部材５２ｐも追従して変位し、支持部材５２ｐがスイッチ片５４に接触することにより、スイッチ部１１は閉（ＯＮ）となる。一方、このスイッチ部１１は、図３に示すように、前述したコネクタ１３を介してプロジェクタ本体２側における制御部３３に接続される。よって、スイッチ部１１によりグリップボタン５ｐの変位が検出されたなら、前述したロック機構１２のロックが解除される。
【００２３】
さらに、交換レンズ３には、プロジェクタ本体２への装着時に、当該交換レンズ３の固有の情報を、コネクタ１３を介してプロジェクタ本体２に付与する情報回路１４を設ける。情報回路１４は、図３に示すように、コネクタ部４０における三つの端子Ｔａ，Ｔｂ，Ｔｃを利用するとともに、各端子Ｔａ，Ｔｂ，Ｔｃをコネクタ部４０におけるアース端子Ｔｅに対して選択的に接続する。実施例は、端子Ｔａを無接続、端子Ｔｂ及びＴｃをアース端子Ｔｅに接続した場合を示している。他方、各端子Ｔａ，Ｔｂ，Ｔｃに対応するプロジェクタ本体２側のコネクタ部３９における三つ端子Ｕａ，Ｕｂ，Ｕｃは、制御部３３に接続し、かつ抵抗Ｒａ，Ｒｂ，Ｒｃを介して電源ラインＬｐに接続するとともに、アース端子Ｔｅに対応する端子Ｕｅは接地する。よって、各端子Ｔａ，Ｔｂ，Ｔｃの接続状態により、図４に示す八通りの情報Ｃ１，Ｃ２，Ｃ３…Ｃ８を生成することができ、各情報Ｃ１…は、交換レンズ３のタイプを示している。これにより、コネクタ部４０がコネクタ部３９に接続されれば、実施例の場合、端子Ｔａ（Ｕａ）は「Ｈ」レベル，端子Ｔｂ（Ｕｂ）は「Ｌ」レベル，端子Ｔｃ（Ｕｃ）は「Ｌ」レベルになり、Ｃ４タイプの交換レンズ３であることがプロジェクタ本体２側に付与される。
【００２４】
よって、このような情報回路１４を設けることにより、交換レンズ３を装着した際に、プロジェクタ本体２側は交換レンズ３からそのタイプ（情報）を知ることができるため、制御部３３は、交換レンズ３のタイプに応じた制御を行うことができる。具体的には、昇降制御系２７により可動フレーム２４の昇降範囲を制御する。即ち、交換レンズ３を昇降させて台形補正を行う場合、交換レンズ３の特性により、所定の昇降範囲を越えると画質の低下を生じる。画質の低下は、上下端に欠けを生じたり徐々に暗くなるなど、明確に判別しにくいため、予め、正常となる許容範囲を設定し、交換レンズ３に対する昇降範囲を制御する。
【００２５】
なお、交換レンズ３の固有の情報をプロジェクタ本体２に付与する他の形態としては、図５に示すように、交換レンズ３に、プロジェクタ本体２への装着時に、当該交換レンズ３の固有の情報を、プロジェクタ本体２へ機械的に付与する情報付与機構１６を設けて構成することもできる。この場合、交換レンズ３に、対応する制御操作子６１を取付けるとともに、プロジェクタ本体２側の固定フレーム２３に、制御操作子６１により操作されることによりＯＮ（又はＯＦＦ）する上下一対のスイッチ６２，６３を配設する。これにより、各交換レンズ３…のタイプに応じて制御操作子６１の取付位置及び長さを選定するとともに、各スイッチ６２，６３を制御部３３に接続すれば、交換レンズ３に対する昇降範囲を制御（規制）することができる。
【００２６】
さらに、プロジェクタ本体２には、交換レンズ３をプロジェクタ本体２に装着した際に、コネクタ１３の接続状態を監視することにより、交換レンズ３とプロジェクタ本体２の装着状態を検出する装着状態検出回路１５を設ける。この場合、図３に示すように、コネクタ部４０の端子Ｔｓをアース端子Ｔｅに接続するとともに、コネクタ部３９の端子Ｕｓを制御部３３に接続し、かつ抵抗Ｒｓを介して電源ラインＬｐに接続する。これにより、交換レンズ３がプロジェクタ本体２に対して正常に接続されれば、端子Ｔｓ（Ｕｓ）は「Ｌ」レベルになり、他方、正常に接続されなければ、「Ｈ」レベルのままとなるため、交換レンズ３とプロジェクタ本体２の装着状態を検出することができる。そして、正常に装着された場合には、装着状態表示部７０、例えば、正常装着ランプの点灯やディスプレイ画面により表示することができる。
【００２７】
次に、本実施例に係るプロジェクタ１における交換レンズ２の交換方法について、図１〜図６を参照して説明する。
【００２８】
まず、プロジェクタ１に装着されている交換レンズ３を離脱する場合について説明する。今、プロジェクタ１が、天井付近における棚の上にセッティングされている場合を想定する。この場合、操作者は、片手で交換レンズ３の前端付近に設けたグリップボタン５ｐ，５ｑに指が当たるようにして交換レンズ３を把持するのみで容易に離脱することができる。
【００２９】
即ち、グリップボタン５ｐ…は、交換レンズ３の中心方向に押されるため、グリップボタン５ｐ…は、支持部材５２ｐ…の弾性に抗して中心側へ変位し、突出部５ｐｓ…は、内筒部５３の外周面に圧接する。これにより、外筒部５０が内筒部５３に対して回動するズームリングやフォーカスリングとなる回動部位Ｘを構成している場合には、回動部位Ｘの回動が規制される。したがって、この状態で、交換レンズ３を所定角度回転させれば、装着部３７の係止片３７ｓ…に対する被装着部３８における係止片３８ｓ…の係止が解除されるため、そのまま引抜くことができる。このように、回動部位Ｘの回動が規制（固定）されるため、交換レンズ３やプロジェクタ本体２に対して無用な応力が付加される不具合を回避できるとともに、安定した状態で離脱操作を行うことができる。
【００３０】
また、グリップボタン５ｐ…の把持により、スイッチ部１１が閉（ＯＮ）となるため、このスイッチ部１１のＯＮ信号は、コネクタ１３を介して制御部３３に付与され、制御部３３は、ロック機構１２における電磁ソレノイド４２を通電制御する。これにより、ロック爪４１はロック解除位置に変位する。よって、プロジェクタ１が、天井や棚の上等の室内の上方にセッティングされた場合であっても、プロジェクタ本体２側の操作が不要になり、ロック解除の操作を含む全体の着脱操作（着脱作業）を極めて容易に行うことができる。
【００３１】
次に、プロジェクタ本体２に対して交換レンズ３を装着する場合について説明する。この場合、操作者は、片手で交換レンズ３のグリップボタン５ｐ，５ｑに指が当たるようにして交換レンズ３を把持し、この状態で、図１に示すように、交換レンズ３の後部を挿通孔３６に挿入するとともに、最も挿入した位置で所定角度回転させれば、係止片３８ｓ…と係止片３７ｓ…同士が係止される。この際、グリップボタン５ｐ…は、交換レンズ３の中心方向に押されるため、グリップボタン５ｐ…は、支持部材５２ｐ…の弾性に抗して中心側へ変位し、突出部５ｐｓ…は、内筒部５３の外周面に圧接することにより、回動部位Ｘの回動が規制される点は上述した離脱時と同じである。また、交換レンズ３を装着する際には、ロック爪４１は交換レンズ３の変位に追従し、交換レンズ３の外周面に設けた係止孔に係止する。即ち、ロック爪４１はロック位置に変位し、交換レンズ３はプロジェクタ本体２に対してロックされる。
【００３２】
また、交換レンズ３をプロジェクタ本体２に装着することにより、コネクタ部４０とコネクタ部３９が接続される。これにより、制御部３３は、端子Ｔｓ（Ｕｓ）のレベルを監視し、「Ｌ」レベルになった場合には、正常に装着されたものと判断し、装着状態表示部７０により表示、具体的には、正常装着ランプを点灯させるなどの表示を行う。よって、装着が正しく行われたか否かの確認を容易かつ確実に行うことができる。
【００３３】
さらに、コネクタ部４０とコネクタ部３９が接続されることにより、プロジェクタ本体２に対して情報回路１４（情報付与機構１６）が接続される。これにより、プロジェクタ本体２側は交換レンズ３からそのタイプ（情報）を得ることができ、制御部３３は、交換レンズ３のタイプに応じた制御を行うことができる。制御部３３には、交換レンズ３のタイプに応じた可動フレーム２４の昇降範囲が、予め設定されており、台形補正時に、昇降制御系２７により可動フレーム２４を昇降させる際には、昇降範囲が制御される。よって、プロジェクタ１固有の補正に対応した新たな対応手段が付加され、特に、台形補正に伴う画質の低下を回避できるなど、ユーザに対する利便性を高めることができる。
【００３４】
以上、実施例について詳細に説明したが、本発明は、このような実施例に限定されるものではなく、細部の回路構成，手法等において、本発明の要旨を逸脱しない範囲で任意に変更，追加，削除することができる。例えば、スイッチ部１１は、指が触れたことを検出するタッチスイッチ等を用いてもよい。また、ロック機構１２を交換レンズ３に設けた場合には、グリップボタン５ｐ（５ｑ）の変位を機械的なリンク機構を介してロック機構１２に伝達し、ロックを解除するようにしてもよい。したがって、ロック機構１２の構成は、例示に限らず、各種構成を採用できる。
【００３５】
【発明の効果】
このように、本発明に係るプロジェクタは、プロジェクタ本体と、このプロジェクタ本体に対して別体の交換レンズと、この交換レンズをプロジェクタ本体に対して着脱させるレンズ着脱機構とを備えるとともに、プロジェクタ本体に装着した交換レンズにおける当該プロジェクタ本体から突出する外周面に、着脱時に把持するグリップボタンを有する把持機構を設けたため、次のような顕著な効果を奏する。
【００３６】
（１）  操作者は、交換レンズの前端付近に設けたグリップボタンを片手で把持するのみで、交換レンズを容易に着脱することができる。
【００３７】
（２）  好適な実施の形態により、把持機構に、グリップボタンを弾性支持し、グリップボタンの把持により、交換レンズの回動部位の回動を規制する規制機構を設ければ、回動部位の回動が規制されるため、交換レンズに対して無用な応力が付加される不具合を回避できるとともに、安定した状態で着脱操作を行うことができる。
【００３８】
（３）  好適な実施の形態により、把持機構に、グリップボタンの把持を検出し、レンズ着脱機構における交換レンズに対するロック機構のロックを解除可能なスイッチ部を設ければ、プロジェクタが、天井や棚の上等の室内の上方にセッティングされた場合であっても、プロジェクタ本体側の操作が不要になり、ロック解除の操作を含む全体の着脱操作（着脱作業）を極めて容易に行うことができる。
【００３９】
（４）  好適な実施の形態により、交換レンズに、プロジェクタ本体への装着時に、当該交換レンズの固有の情報を、コネクタを介してプロジェクタ本体に付与する情報回路、或いは、プロジェクタ本体へ機械的に付与する情報付与機構を設ければ、プロジェクタ固有の補正に対応した新たな対応手段を付加することができ、台形補正に伴う画質の低下を回避できるなど、ユーザに対する利便性を高めることができる。
【００４０】
（５）  好適な実施の形態により、プロジェクタ本体に、交換レンズをプロジェクタ本体に装着した際に、コネクタの接続状態を監視することにより、交換レンズとプロジェクタ本体の装着状態を検出する装着状態検出回路を設ければ、装着が正しく行われたか否かの確認を容易かつ確実に行うことができる。
【図面の簡単な説明】
【図１】本発明の好適な実施例に係るプロジェクタの要部構成を示す一部断面を含む側面図、
【図２】同プロジェクタの要部構成を示す拡大断面図を含む正面図、
【図３】同プロジェクタの要部構成に対応する電気系のブロック系統図、
【図４】同プロジェクタにおける情報回路の端子のレベルと交換レンズのタイプの関係を示す表、
【図５】同プロジェクタにおける情報付与機構の構成図、
【図６】同プロジェクタの外観構成図、
【符号の説明】
１    プロジェクタ
２    プロジェクタ本体
３    交換レンズ
３ｆ  交換レンズの外周面
４    レンズ着脱機構
５    把持機構
５ｐ  グリップボタン
５ｑ  グリップボタン
１０  規制機構
１１  スイッチ部
１２  ロック機構
１３  コネクタ
１４  情報回路
１５  装着状態検出回路
１６  情報付与機構
Ｓ    スクリーン
Ｘ    回動部位
【図１】
2004302350.tif 000003
【図２】
2004302350.tif 000004
【図３】
2004302350.tif 000005
【図４】
2004302350.tif 000006
【図５】
2004302350.tif 000007
【図６】
2004302350.tif 000008